(57)【要約】【課題】  服用する薬剤を簡単に判別可能な印刷を行う。【解決手段】  同一薬剤を異なる態様で処方するための情報が同一レコードに格納される索引データ部、及び、各薬剤の画像データが態様の違いを含めて格納される画像ファイル部からなる薬剤画像データファイルを記憶する記憶手段１と、患者毎の処方箋データに基づいて、前記記憶手段１に記憶した索引データ部を参照することにより薬剤の態様を選択し、選択した態様に従って画像ファイル部から該当する画像データを呼び出すことにより、印刷データを作成し、印刷手段８に送信する制御手段３とを備える。【選択図】  図１
2005007895.tif 000002
【特許請求の範囲】
【請求項１】
処方箋データに基づいて、画像データをカラー印刷する印刷手段を備えた薬袋印刷装置において、
同一薬剤を異なる態様で処方するための情報が同一レコードに格納される索引データ部、及び、各薬剤の画像データが態様の違いを含めて格納される画像ファイル部からなる薬剤画像データファイルを記憶する記憶手段と、
患者毎の処方箋データに基づいて、前記記憶手段に記憶した索引データ部を参照することにより薬剤の態様を選択し、選択した態様に従って画像ファイル部から該当する画像データを呼び出すことにより、印刷データを作成し、前記印刷手段に送信する制御手段とを備えたことを特徴とする薬袋印刷装置。
【請求項２】
前記制御手段は、画像データを服用順に並び替えることを特徴とする請求項１に記載の薬袋印刷装置。
【請求項３】
前記制御手段は、患者毎の処方箋データから変換した調剤データに基づいて薬剤の画像を取得して形態を判断し、前記記憶手段に記憶した薬剤画像データファイルを参照した結果、該当するデータがない場合、標準画像ファイルを前記印刷手段に送信することを特徴とする請求項１又は２に記載の薬袋印刷装置。
【請求項４】
前記記憶手段は、さらに、薬剤師毎の顔写真データを薬剤師コードと関連付けて格納する顔写真画像データファイルと、各種項目コードを前記薬剤師コードと関連付けて格納する服薬指導者設定ファイルとを記憶し、
前記制御手段は、さらに、患者毎の処方箋データに基づいて前記記憶手段に記憶した服薬指導者設定ファイルを参照して薬剤師コードを特定し、特定した薬剤師コードに基づいて顔写真画像データファイルを参照して顔写真データを特定することにより印刷データを作成し、前記印刷手段に送信することを特徴とする請求項１乃至３のいずれか１項に記載の薬袋印刷装置。
【請求項５】
前記印刷手段は、複数台の外部プリンタを含み、
前記制御手段は、作成した印刷データに基づいていずれのプリンタで印刷させるのかを自動選択することを特徴とする請求項１乃至４のいずれか１項に記載の薬袋印刷装置。
【発明の詳細な説明】
【技術分野】
【０００１】
この発明は、薬袋印刷装置、特に、薬袋や服薬指導用紙に画像データをカラー印刷することのできる薬袋印刷装置に関するものである。
【背景技術】
【０００２】
従来、薬袋印刷装置として、処方箋の内容に応じて薬袋のサイズを選定し、患者名、用法等を印刷するようにしたものがある（例えば、特許文献１参照）。
【０００３】
また、他の薬袋印刷装置として、薬袋に薬剤の画像データを印刷するようにしたものもある（例えば、特許文献２参照）。この薬袋印刷装置では、薬剤の画像データの横に、例えば、「朝昼夕  毎食後」のような服用方法を印刷可能である。
【０００４】
【特許文献１】実公平７―９６４４号公報
【特許文献２】実開昭６３―１４０９４７号公報
【発明の開示】
【発明が解決しようとする課題】
【０００５】
しかしながら、前者の薬袋印刷装置では、薬剤の種類が複数になれば、どの薬剤をどの服用方法で服用してよいのかの判断が困難となる。
【０００６】
また、後者の薬袋印刷装置では、印刷できるのが薬剤自体の形態であり、実際には各薬剤は包装され、患者に渡される形態とは相違している。この包装後の形態は、複数種の薬剤をまとめて包装するものであったり、同じ薬剤であっても、カプセルに入れられたり、包装紙に包装されたり等、相違しているのが一般的である。このため、単に薬剤自体の形態を印刷しただけでは、かえってその判断が困難になる場合もある。
【０００７】
そこで、本発明は、服用する薬剤を簡単に判別可能な印刷を行うことのできる薬袋印刷装置を提供することを課題とする。
【課題を解決するための手段】
【０００８】
本発明は、前記課題を解決するための手段として、処方箋データに基づいて、画像データをカラー印刷する印刷手段を備えた薬袋印刷装置において、
同一薬剤を異なる態様で処方するための情報が同一レコードに格納される索引データ部、及び、各薬剤の画像データが態様の違いを含めて格納される画像ファイル部からなる薬剤画像データファイルを記憶する記憶手段と、
患者毎の処方箋データに基づいて、前記記憶手段に記憶した索引データ部を参照することにより薬剤の態様を選択し、選択した態様に従って画像ファイル部から該当する画像データを呼び出すことにより、印刷データを作成し、前記印刷手段に送信する制御手段とを備えたものである。
【０００９】
前記制御手段は、画像データを服用順に並び替えるようにするのが好ましい。
【００１０】
前記制御手段は、患者毎の処方箋データから変換した調剤データに基づいて薬剤の画像を取得して形態を判断し、前記記憶手段に記憶した薬剤画像データファイルを参照した結果、該当するデータがない場合、標準画像ファイルを前記印刷手段に送信すればよい。
【００１１】
前記記憶手段は、さらに、薬剤師毎の顔写真データを薬剤師コードと関連付けて格納する顔写真画像データファイルと、各種項目コードを前記薬剤師コードと関連付けて格納する服薬指導者設定ファイルとを記憶し、
前記制御手段は、さらに、患者毎の処方箋データに基づいて前記記憶手段に記憶した服薬指導者設定ファイルを参照して薬剤師コードを特定し、特定した薬剤師コードに基づいて顔写真画像データファイルを参照して顔写真データを特定することにより印刷データを作成し、前記印刷手段に送信するのが好ましい。
【００１２】
前記印刷手段は、複数台の外部プリンタを含み、
前記制御手段は、作成した印刷データに基づいていずれのプリンタで印刷させるのかを自動選択するのが好ましい。
【発明の効果】
【００１３】
本発明によれば、患者毎の処方箋データに基づいて該当する薬剤の画像データ及び服薬指導文を取得し印刷データを作成するようにしたので、患者にとって見やすく、服用薬の判別を簡単に行うことができる。したがって、誤って服用する等の不具合も発生しない。
【発明を実施するための最良の形態】
【００１４】
以下、本発明の実施の形態を添付図面に従って説明する。
【００１５】
図１は、本実施形態に係る薬袋印刷装置のブロック図である。この薬袋印刷装置は、記憶装置１、薬袋形成装置２及び中央演算装置（ＣＰＵ）３で構成される。ＣＰＵ３にはホストコンピュータ４、ＣＲＴディスプレイ５、キーボード６、デジタルスチルカメラ７、外部プリンタ８等が接続されている。外部プリンタ８には、外部第１プリンタ９及び外部第２プリンタ１０、ローカルプリンタ１１、ネットワーク第１プリンタ１２及びネットワーク第２プリンタ１３が含まれる。
【００１６】
記憶装置１には、薬剤マスタファイル、薬剤画像データファイル、服薬指導者設定ファイル、顔写真画像データファイル、薬剤師マスタファイ等が記憶されている。
【００１７】
薬剤マスタファイルは、表１に示すように、薬剤コード、薬剤名、形態コード、規格量、薬効コード、効能・効果で構成される。
【００１８】
【表１】
2005007895.tif 000003
【００１９】
薬剤コードには、薬剤名の略称が使用される。例えば、薬剤「カフセルサイイー」では略称「カフイ」が使用される。形態コードは、患者に渡す各薬剤の形態に対応した記号である。具体的には、錠剤、カプセル剤、散剤、内用液剤、外用剤等からなる薬剤自身に対応する記号と、製薬会社で包装したヒートシール包装品、薬局で分包機を使用して包装した包装品等の薬剤の包装に対応する記号とが使用される。規格量は、予め設定されている薬剤の処方量をいう。表１の散薬Ｇで規格量「０.５ｇ」とあるのは、散薬Ｇを０.５ｇ単位でヒートシール包装することを意味する。薬効コードは、各薬剤毎に付与されたコード番号で、後述するプリンタ選択処理の際に利用される。効能・効果は、各薬剤毎の効能や効果を示すもので、後述する服薬指導用紙印刷データ作成処理及び薬袋印刷データ作成処理の印刷データ編集の際の元データとして使用される。
【００２０】
薬剤画像データファイルは、索引データ部と画像ファイル部とからなる。
【００２１】
索引データ部は、表２に示すように、薬剤コード、薬剤識別記号、包装識別記号、本体画像ファイル名、包装画像ファイル名等で構成される。
【００２２】
【表２】
2005007895.tif 000004
【００２３】
薬剤識別記号とは、薬剤本体に刻印又は印刷される記号をいう。包装識別記号は、薬剤の包装に印刷される記号をいう。注釈は、錠剤を分割したり、粉砕（散剤化）したりする場合等、同じ薬剤であっても異なる態様で処方する場合を示す。例えば、錠剤Ｄでは、注釈１に分割、注釈２に粉砕とあり、処方する際、分割して包装する場合と、粉砕して包装する場合とがあることを意味する。この場合の画像データは、その他の画像１及び２の各ファイル名に対応するものが読み込まれる。
【００２４】
画像ファイル部は、図２に示すように、前記各識別記号に対応する画像ファイルで構成される。
【００２５】
顔写真画像データファイルは、前記薬剤画像データファイル同様、索引データ部と画像ファイル部とからなる。索引データ部は、表３に示すように、薬剤師コードと顔写真画像ファイル名とで構成される。
【００２６】
【表３】
2005007895.tif 000005
【００２７】
画像ファイル部は、図３に示すように、前記薬剤師コードに対応する薬剤師の顔写真画像ファイルで構成される。
【００２８】
前記薬剤画像データファイル及び顔写真画像データファイルの各画像データは、例えば、デジタルスチルカメラ７で読み込んだ画像が使用される。ファイル形式は、BMP，JPEG，GIF，TIFＦ，PhotoCD等、形式は問わない。なお、前記デジタルスチルカメラ７に代えて、イメージスキャナやPhotoCDを読むＣＤ―ＲＯＭドライブ等を利用してもよい。また、画像データは実物の写真に限らず、イラスト等で構成してもよい。
【００２９】
服薬指導者設定ファイルは、表４に示すように、設定条件及び服薬指導者（薬剤師）コードで構成される。設定条件は、有効／無効データと条件内容とからなる。
【００３０】
【表４】
2005007895.tif 000006
【００３１】
前記有効／無効データは、服薬指導者を決定するために、該当する区分を選択させるためのデータである。条件内容は、区分及び対応する項目コードで構成される。固定区分が有効であれば、他の条件に関係なく、その欄に記載された服薬指導者が選択される。薬効区分の各項目コードは、前記薬剤マスタファイルの薬効コードに対応している。診療科区分の各項目コードは診療科、年齢区分の項目コードは各年齢層にそれぞれ対応している。
【００３２】
プリンタ種別マスタファイルは、表５に示すように、プリンタ種別コード、出力先機器、プリンタ種別、型式、プリンタドライバファイル名で構成される。
【００３３】
【表５】
2005007895.tif 000007
【００３４】
前記プリンタ種別マスタファイルの諸情報に基づくことにより、各プリンタの諸仕様・条件に応じた印刷データを作成可能である。
【００３５】
出力プリンタ設定ファイルは、表６に示すように、設定条件及びプリンタ種別コードで構成される。設定条件は、有効／無効データと条件内容とからなる。
【００３６】
【表６】
2005007895.tif 000008
【００３７】
前記有効／無効は、出力プリンタを選択するために、いずれの区分を選択するのかを判断するためのデータである。前記条件内容は区分と対応する項目データで構成され、好ましいプリンタの組み合わせを考慮して決定される。なお、前記有効／無効及び条件内容は、前記服薬指導者設定ファイルと同様な構成となっている。また、前記プリンタ種別コードでは、選択するプリンタの該当欄に「出力」と表示されている。例えば、薬効コード＝０００１（抗癌剤）では、プリンタ種別コード＝３２（ネットワークの第２プリンタ）が選択されるようになっている。
【００３８】
薬剤師マスタファイルは、表７に示すように、薬剤師コード、薬剤師カナ名、薬剤師名で構成される。
【００３９】
【表７】
2005007895.tif 000009
【００４０】
薬袋形成装置２は、図４に示すように、薬袋又は服薬指導用紙を形成するための用紙を巻回したロール１４と、用紙の所定箇所を熱溶着する熱溶着部１５と、形成された薬袋１包分ずつに又は服薬指導用紙を所定寸法毎に切断する切断部１６と、各薬袋又は服薬指導用紙に印刷を施すプリンタ１７とから構成される。薬袋に印刷するためのプリンタ１７には、薬袋のサイズに応じて大型用と小型用とが用意されている。
【００４１】
ＣＰＵ３は、ホストコンピュータ４、キーボード等からの入力信号に基づいて薬袋形成装置２やプリンタ８（９〜１３），１７等を駆動制御して薬袋又は服薬指導用紙に所定の印刷を施す。
【００４２】
以下、前記ＣＰＵ３による印刷制御を、図５ないし図１０のフローチャートに従って説明する。
【００４３】
印刷制御では、図５に示すように、まず、ホストコンピュータ４から処方箋データを読み込む（ステップＳ１）。処方箋データは、各患者毎のデータである。処方箋データには、病院／調剤薬局、調剤日、患者番号、患者名（カナ，漢字）、病院名、医師名、服薬指導者名、外来／入院、引換番号、性別、生年月日、診療科、処方日、処方番号、薬剤名、用法、用量、服用時刻等が含まれる。
【００４４】
次に、受信した処方箋データを調剤データに変換する（ステップＳ２）。詳しくは、処方箋データをホストコンピュータ４のコード系から薬袋印刷装置でのコード系に変換したり、処方箋データの薬剤コードを利用して薬剤マスタファイルから薬剤についての詳細情報を取得したり、薬剤の用量・用法から体積を求め、その薬剤を収容する薬袋のサイズを決定したりする。なお、薬袋のサイズは、簡単に薬包数に応じて、例えば、１〜１２包では小型の薬袋、１２包以上では大型の薬袋等に決定するようにしてもよい。そして、前記調剤データを画面表示し（ステップＳ３）、表示内容の変更を可能とする（ステップＳ４）。表示内容の変更はキーボードで行う。なお、調剤データは、ホストコンピュータから処方箋データが読み込まれていなくても、キーボードから直接入力可能である。表８に調剤データのフォーマットを示す。
【００４５】
【表８】
2005007895.tif 000010
【００４６】
前記調剤データ中、病院／調剤薬局、外来／入院は固定値とする。また、年齢は、生年月日と調剤日とから算出する。
【００４７】
このようにして調剤データが完成すれば、服薬指導用紙印刷データ作成処理（ステップＳ５：図６，図７）及び薬袋印刷データ作成処理（ステップＳ６：図１０）を行う。服薬指導用紙印刷データ作成処理は、後述するように、選択された各プリンタについて行う。また、薬袋印刷データ作成処理は、薬袋印刷装置２内に設けたプリンタ１７について行う。このため、薬袋印刷データ作成処理は、全薬袋について印刷データが作成されるまで繰り返す（ステップＳ７）。全薬袋について印刷データが作成されれば、次に、前記印刷データ作成処理で選択されたプリンタに印刷データを出力する（ステップＳ８）。前記印刷データ作成処理では複数の印刷データが作成されるため、該当するプリンタへの印刷データの出力は、全印刷データについての出力が終了するまで行う（ステップＳ９）。こうして全印刷データについての出力が完了すれば、前記ステップＳ１に戻って同様の処理を繰り返す。
【００４８】
前記服薬指導用紙印刷データ作成処理では、図６及び図７に示すように、まず、プリンタ選択処理（図８）により、プリンタの種別コードを選択する（ステップＳ１１）。そして、選択したプリンタの種別コードに基づいて表５に示すプリンタ種別マスタファイルから該当するデータを取得し（ステップＳ１２）、印刷データを編集する（ステップＳ１３）。印刷データの編集では、予め記憶してある服薬指導用紙の印刷レイアウトに基づいて表８に示す調剤日、患者名（カナ，漢字）、引換番号、病院名、処方日の各データを該当個所に割り当てる。
【００４９】
続いて、顔写真画像データ選択取得処理（図９）により顔写真画像データを取得し（ステップＳ１４）、前記ステップＳ１３同様、印刷データの編集を行う（ステップＳ１５）。また、調剤データから全薬剤データを取得し（ステップＳ１６）、薬剤服用順整列処理（図１０）により薬剤を服用順に整列させる（ステップＳ１７）。
【００５０】
その後、服用時刻又は服用食事区分が変更したか否かを判断し（ステップＳ１８）、変更していれば、印刷データを編集した後（ステップＳ１９）、変更していなければそのまま薬剤画像データ選択取得処理（図１３）を行い（ステップＳ２０）、薬剤画像の印刷データを編集する（ステップＳ２１）。
【００５１】
ここで、薬剤を分包するか否かを判断し（ステップＳ２２）、分包するのであれば、合包印刷データを編集した後（ステップＳ２３）、分包するのでなければ、そのまま薬剤名等の印刷データの編集を行い（ステップＳ２４）、整列済みデータ内の次の薬剤データを取得する（ステップＳ２５）。なお、前記ステップＳ２３では、複数種の薬剤をまとめて薬包紙で一包に包装する場合の印刷データの編集も行う。この場合、該当する各薬剤の印刷データを取得してこれらの印刷データを矩形の線画で囲み、薬包紙で一包に包装したものと擬制することにより新たに印刷データを加工するようにしてもよい。
【００５２】
前記ステップＳ１８〜Ｓ２５は、全薬剤データが終了するまで行う（ステップＳ２６）。
【００５３】
前記プリンタ選択処理では、図８に示すように、まず、出力プリンタ設定ファイル（表６）から全データを取得し（ステップＳ３１）、設定条件の有効／無効データに基づいて区分選択、すなわちプリンタ種別コードの選択方法を判断する（ステップＳ３２）。固定区分が有効である場合、その行で「出力」と設定されている列欄に該当するプリンタ種別コードを取得する（ステップＳ３３）。薬効区分が有効であれば、抗癌剤、麻薬及び循環器管用薬のデータをネットワーク第２プリンタ１３に出力し、糖尿病用薬、ホルモン剤及びアレルギー用薬をネットワーク第１プリンタ１２に出力し、その他を薬袋形成装置２のプリンタ１７に出力するためのコードをそれぞれ取得する（ステップＳ３４）。診療科区分が有効であれば、項目コードが小児科，産婦人科のデータをネットワーク第２プリンタ１３に出力し、その他のデータをネットワーク第１プリンタ１２に出力するコードをそれぞれ取得する（ステップＳ３５）。年齢区分が有効であれば、０〜１２歳及び６０〜１５０歳のデータをネットワーク第１プリンタ１２に出力し、１２〜５９歳のデータを薬袋形成装置２のプリンタ１７に出力するコードをそれぞれ取得する（ステップＳ３６）。そして、取得したコードを調剤データに設定する（ステップＳ３７）。
【００５４】
前記顔写真画像データ選択取得処理では、図９に示すように、まず、服薬指導者設定ファイル（表４）から全データを取得し（ステップＳ４１）、設定条件の有効／無効データに基づいて区分選択、すなわち服薬指導者コードの選択方法を判断する（ステップＳ４２）。
【００５５】
固定区分が有効である場合、該当する服薬指導者コードを取得する（ステップＳ４３）。薬効区分が有効である場合、該当する項目コードに対応する服薬指導者コードを取得する（ステップＳ４４）。診療科区分が有効である場合、該当する項目コードに対応する服薬指導者コードを取得する（ステップＳ４５）。年齢区分が有効である場合、該当する年齢範囲に対応する服薬指導者コードを取得する（ステップＳ４６）。
【００５６】
次に、出力プリンタ設定ファイル（表６）に基づいてプリンタ種別コードを調剤データに設定する（ステップＳ４７）。また、顔写真画像データファイルの索引データ部（表３）から前記服薬指導者コードに対応する顔写真の画像ファイル名を取得し（ステップＳ４８）、画像ファイル部（図３）から該当する顔写真画像ファイルを取得する（ステップＳ４９）。
【００５７】
前記薬剤服用順整列処理では、図１０に示すように、服用時刻、服用食事区分・形態の順で薬剤データを並び替える（ステップＳ５１）。詳しくは、服用時刻に基づいて、「朝」、「昼」、「夕」、「寝る前」の順に並び替え、各服用時刻についても、服用食事区分に基づいて、「食前」、「食直後」、「食後」、「食間」の順で並び替え、各服用食事区分についても、形態に基づいて「錠・ヒート（錠剤をヒートシールにより包装したもの）」、「カプセル・ヒート」、……の順で並び替える。さらに、前記形態が「分包」の場合、服用時刻及び服用食事区分（合包区分）が同じであれば、他の薬剤と合包するため、合包区分が同じ薬剤データを優先的にまとめて並び替える（ステップＳ５２）。
【００５８】
この結果、得られた服薬指導用紙を図１４及び図１５に示す。この服薬指導用紙では、服薬指導者である薬剤師の顔写真が印刷されている。このため、調剤された薬剤の相談等を誰に行えばよいかの判断が容易である。また、薬剤は、調剤された形態そのものが写真として印刷されているので、どの薬剤を服用すればよいのかの判断が容易である。しかも、服用時間順に整列されるので、非常に見やすい。その上、薬剤に関する情報（薬の名前、薬の記号、包装の記号、服用１回量及び効能効果等）が種々印刷されているので、患者は安心して服用することができる。
【００５９】
前記薬袋印刷データ作成処理では、図１１及び図１２に示すように、まず、プリンタ種別コードに基づいてプリンタ種別マスタファイル（表５）から該当するデータを取得する（ステップＳ６１）。ここでは、前記服薬指導用紙印刷データ作成処理とは異なり、データを薬袋形成装置２のプリンタ１７のみに出力することにしているので、プリンタ選択処理は行っていない。
【００６０】
続いて、診療科、患者名等の頭書きの印刷データを編集して該当個所に割り当てる（ステップＳ６２）。また、用法の印刷データを編集して該当個所に割り当てる（ステップＳ６３）。そして、調剤データから薬袋番号に対応する薬剤データを取得し（ステップＳ６４）、薬剤服用順整列処理（図１０参照）により、所定の順番に並び替える（ステップＳ６５）。
【００６１】
以下、前記服薬指導用紙作成処理のステップＳ１９〜Ｓ２６と同様の処理を行う（ステップＳ６７〜７４）。そして、整列処理が終了した全薬剤データについて前記ステップＳ６７〜Ｓ７４が終了すれば（ステップＳ６６）、顔写真画像データ選択取得処理（図１３参照）を行った後（ステップＳ７５）、その印刷データを編集する（ステップＳ７６）。
【００６２】
前記薬剤画像データ選択取得処理では、図１３に示すように、まず、薬剤の画像を取得し（ステップＳ８１）、薬剤の形態を判断する（ステップＳ８２）。薬剤が分包されている場合、本体画像ファイルを取得する（ステップＳ８３）。また、薬剤がヒートシールにより包装されている場合、包装画像ファイルを取得する（ステップＳ８４）。さらに、分包及びヒートシールのいずれでもない場合、そのような画像ファイルが全て取得されるまで（ステップＳ８５）、形態が注釈（表２参照）と一致するか否かを判断し（ステップＳ８６）、一致していればその画像ファイルを取得する（ステップＳ８７）。ところで、薬剤マスタファイルの全薬剤についての画像ファイルが登録されているわけではないので、各薬剤について画像ファイルが取得できたか否かを判断し（ステップＳ８８）、取得できない場合には、形態コードに対応した標準画像ファイルを取得する（ステップＳ８９）。ここで、標準画像ファイルとは、例えば、「錠剤」あるいは「カプセル剤」と文字表記しただけの画像ファイルを意味する。
【００６３】
以上のようにして印刷された薬袋を図１６及び図１７に示す。この薬袋でも前記服薬指導用紙と同様に種々の印刷が施され、患者にとって親切な内容となっている。
【００６４】
以上の説明から明らかなように、本発明に係る薬袋印刷装置によれば、患者毎の処方箋データに基づいて該当する薬剤の画像データ及び服薬指導文を取得し印刷データを作成するようにしたので、患者にとって見やすく、服用薬の判別を簡単に行うことができる。したがって、誤って服用する等の不具合も発生しない。
【図面の簡単な説明】
【００６５】
【図１】本実施形態に係る薬袋印刷装置のブロック図である。
【図２】図１の薬剤画像データファイルに記憶された画像ファイル部の内容を示す図である。
【図３】図１の顔写真データファイルに記憶された画像ファイル部の内容を示す図である。
【図４】図１の画像ファイル部を示すブロック図である。
【図５】本実施形態に係る薬袋印刷装置での印刷制御を示すフローチャートである。
【図６】図５の服薬指導用紙印刷データ作成処理を示すフローチャートである。
【図７】図５の服薬指導用紙印刷データ作成処理を示すフローチャートである。
【図８】図６の服薬指導用紙出力プリンタ選択処理を示すフローチャートである。
【図９】図６の顔写真画像データ選択取得処理を示すフローチャートである。
【図１０】図６の薬剤服用順整列処理を示すフローチャートである。
【図１１】図７の調剤画像データ選択取得処理を示すフローチャートである。
【図１２】図５の薬袋印刷データ作成処理を示すフローチャートである。
【図１３】図５の薬袋印刷データ作成処理を示すフローチャートである。
【図１４】本発明に係る薬袋印刷装置によって印刷された服薬指導用紙を示す平面図である。
【図１５】本発明に係る薬袋印刷装置によって印刷された服薬指導用紙を示す平面図である。
【図１６】本発明に係る薬袋印刷装置によって印刷された薬袋の一例を示す平面図である。
【図１７】本発明に係る薬袋印刷装置によって印刷された薬袋の他の例を示す平面図である。
【符号の説明】
【００６６】
１  記憶装置（記憶手段）
３  中央演算処理装置（制御手段）
８  外部プリンタ
９  外部第１プリンタ
１０  外部第２プリンタ
１１  ローカルプリンタ
１２  ネットワーク第１プリンタ
１３  ネットワーク第２プリンタ
１７  プリンタ
【図１】
2005007895.tif 000011
【図２】
2005007895.tif 000012
【図３】
2005007895.tif 000013
【図４】
2005007895.tif 000014
【図５】
2005007895.tif 000015
【図６】
2005007895.tif 000016
【図７】
2005007895.tif 000017
【図８】
2005007895.tif 000018
【図９】
2005007895.tif 000019
【図１０】
2005007895.tif 000020
【図１１】
2005007895.tif 000021
【図１２】
2005007895.tif 000022
【図１３】
2005007895.tif 000023
【図１４】
2005007895.tif 000024
【図１５】
2005007895.tif 000025
【図１６】
2005007895.tif 000026
【図１７】
2005007895.tif 000027